(57)【要約】【課題】省電力化と再運転開始の迅速性とをバランス良く実現することが可能な空気調和機及び冷凍装置を提供する。【解決手段】空気調和機１は、冷媒を圧縮する圧縮機１１と、前記冷媒と空気との間で熱交換を行う熱交換器１４と、前記圧縮機１１の駆動停止から予め設定された第１設定時間が経過するまでの間、前記圧縮機１１の再駆動を制限する制限処理部２１と、前記圧縮機１１の駆動を伴う空気調和動作の運転停止指示を受け付けた場合、前記第１設定時間以下の予め設定された第２設定時間が経過するまでの間、前記圧縮機１１の駆動を継続可能な継続処理部２２とを備える。【選択図】図１
2019095138.tif 000002
【特許請求の範囲】
【請求項１】
冷媒を圧縮する圧縮機と、
前記冷媒と空気との間で熱交換を行う熱交換器と、
前記圧縮機の駆動停止から予め設定された第１設定時間が経過するまでの間、前記圧縮機の再駆動を制限する制限処理部と、
前記圧縮機の駆動を伴う空気調和動作の運転停止指示を受け付けた場合、前記第１設定時間以下の予め設定された第２設定時間が経過するまでの間、前記圧縮機の駆動を継続可能な継続処理部と、
を備える空気調和機。
【請求項２】
冷媒を圧縮する圧縮機と、
前記冷媒と空気との間で熱交換を行う熱交換器と、
前記熱交換器における熱交換後の空気が排出される排出口に設けられる可動ルーバーを駆動するルーバー駆動部と、
前記圧縮機の駆動を伴う空気調和動作の停止に伴って前記可動ルーバーを閉鎖する閉鎖動作を実行する駆動処理部と、
前記圧縮機の駆動停止から予め設定された第１設定時間が経過するまでの間、前記圧縮機の再駆動を制限する制限処理部と、
前記空気調和動作の運転停止指示を受け付けた場合、前記閉鎖動作が実行される閉鎖動作時間以下の予め設定された第２設定時間が経過するまでの間、又は、前記閉鎖動作が完了するまでの間、前記圧縮機の駆動を継続可能な継続処理部と、
を備える空気調和機。
【請求項３】
冷媒を圧縮する圧縮機と、
前記冷媒と空気との間で熱交換を行う熱交換器と、
前記熱交換器における熱交換対象の空気の吸い込み口に設けられるフィルターを清掃する清掃装置と、
前記圧縮機の駆動を伴う空気調和動作の運転停止指示を受け付けた後、前記清掃装置による清掃動作を開始させる清掃処理部と、
前記圧縮機の駆動停止から予め設定された第１設定時間が経過するまでの間、前記圧縮機の再駆動を制限する制限処理部と、
前記空気調和動作の運転停止指示を受け付けた場合、前記清掃装置による清掃動作が開始されるまでの清掃待機時間以下の予め設定された第２設定時間が経過するまでの間、前記圧縮機の駆動を継続可能な継続処理部と、
を備える空気調和機。
【請求項４】
前記空気調和機は、前記空気調和機から特定の検知可能範囲内の人体の有無を検出する人体検出部を備え、
前記継続処理部は、前記運転停止指示を受け付けた場合、前記人体検出部により人体が検出されていない場合は前記圧縮機を停止させ、前記人体検出部により人体が検出されている場合は前記圧縮機の駆動を前記第２設定時間だけ継続させる、
請求項１〜３のいずれかに記載の空気調和機。
【請求項５】
前記継続処理部は、前記圧縮機の駆動の継続中に、前記人体検出部により人体が検出されなくなった場合に、前記圧縮機を停止させる、
請求項４に記載の空気調和機。
【請求項６】
前記継続処理部は、前記空気調和機に通信回線を介して前記運転停止指示及び運転開始指示を送信可能な通信端末から前記運転停止指示を受け付けた場合は、前記圧縮機を停止させる、
請求項１〜５のいずれかに記載の空気調和機。
【請求項７】
前記継続処理部は、前記空気調和機に通信回線を介して前記運転停止指示を送信可能な通信端末から前記運転停止指示を受け付けた場合であって、前記人体検出部により人体が検出されていない場合は前記圧縮機を停止させ、前記人体検出部により人体が検出されている場合は前記圧縮機の駆動を継続させる、
請求項４又は５に記載の空気調和機。
【請求項８】
前記空気調和動作を予め設定された時間経過後又は予め設定された時刻に自動的に前記運転停止指示を発生させる自動停止処理部を備え、
前記継続処理部は、前記自動停止処理部からの前記運転停止指示を受け付けた場合は前記圧縮機の駆動を継続させずに停止させる、
請求項１〜７のいずれかに記載の空気調和機。
【請求項９】
冷媒を圧縮する圧縮機と、
前記冷媒と被熱交換流体との間で熱交換を行う熱交換器と、
前記圧縮機の駆動停止から予め設定された第１設定時間が経過するまでの間、前記圧縮機の再駆動を制限する制限処理部と、
前記圧縮機の駆動を伴う動作の運転停止指示を受け付けた場合、前記第１設定時間以下の予め設定された第２設定時間が経過するまでの間、前記圧縮機の駆動を継続させる継続処理部と、
を備える冷凍装置。
【発明の詳細な説明】
【技術分野】
【０００１】
本発明は、冷媒と空気又は水などの被熱交換流体との間で熱交換を行う冷凍装置及び当該冷凍装置を備える空気調和機に関する。
【背景技術】
【０００２】
空気調和機では、冷媒を圧縮する圧縮機が停止した後、冷媒の圧力が均一になるまでの時間として予め設定された第１設定時間が経過するまでの間は、その圧縮機の再起動が制限されることがある。また、空気調和機のリモコンに対する暖房運転停止の誤操作の後の暖房運転の再開をスムーズに行うため、暖房運転停止の操作時には圧縮機を停止させず、予め設定された第２設定時間だけ圧縮機を低速で駆動する技術が知られている（例えば特許文献１参照）。
【先行技術文献】
【特許文献】
【０００３】
【特許文献１】特開２００１−３０４６４９号公報
【発明の概要】
【発明が解決しようとする課題】
【０００４】
ところで、前記第２設定時間が長く設定されている場合には、リモコンの誤操作ではなく、ユーザーが意図的に暖房運転を停止させる場合でも、圧縮機が無駄に駆動する時間が長くなり、省電力化の観点から好ましくない。
【０００５】
本発明の目的は、省電力化と再運転開始の迅速性とをバランス良く実現することが可能な空気調和機及び冷凍装置を提供することにある。
【課題を解決するための手段】
【０００６】
本発明の一の態様に係る空気調和機は、冷媒を圧縮する圧縮機と、前記冷媒と空気との間で熱交換を行う熱交換器と、前記圧縮機の駆動停止から予め設定された第１設定時間が経過するまでの間、前記圧縮機の再駆動を制限する制限処理部と、前記圧縮機の駆動を伴う空気調和動作の運転停止指示を受け付けた場合、前記第１設定時間以下の予め設定された第２設定時間が経過するまでの間、前記圧縮機の駆動を継続可能な継続処理部と、を備える。
【０００７】
本発明の他の態様に係る空気調和機は、冷媒を圧縮する圧縮機と、前記冷媒と空気との間で熱交換を行う熱交換器と、前記熱交換器における熱交換後の空気が排出される排出口に設けられる可動ルーバーを駆動させるルーバー駆動部と、前記圧縮機の駆動を伴う空気調和動作の停止に伴って前記可動ルーバーを閉鎖する閉鎖動作を実行する駆動処理部と、前記圧縮機の駆動停止から予め設定された第１設定時間が経過するまでの間、前記圧縮機の再駆動を制限する制限処理部と、前記空気調和動作の運転停止指示を受け付けた場合、前記閉鎖動作の実行時間として予め設定された第２設定時間が経過するまでの間、又は、前記閉鎖動作が完了するまでの間、前記圧縮機の駆動を継続可能な継続処理部と、を備える。
【０００８】
本発明の他の態様に係る空気調和機は、冷媒を圧縮する圧縮機と、前記冷媒と空気との間で熱交換を行う熱交換器と、前記熱交換器における熱交換対象の空気の吸い込み口に設けられるフィルターを清掃する清掃装置と、前記圧縮機の駆動を伴う空気調和動作の運転停止指示を受け付けた後、前記清掃装置による清掃動作を開始させる清掃処理部と、前記圧縮機の駆動停止から予め設定された第１設定時間が経過するまでの間、前記圧縮機の再駆動を制限する制限処理部と、前記空気調和動作の運転停止指示を受け付けた場合、前記清掃装置による清掃動作が開始されるまでの時間として予め設定された第２設定時間が経過するまでの間、前記圧縮機の駆動を継続可能な継続処理部と、を備える。
【０００９】
本発明の他の態様に係る冷凍装置は、冷媒を圧縮する圧縮機と、前記冷媒と被熱交換流体との間で熱交換を行う熱交換器と、前記圧縮機の駆動停止から予め設定された第１設定時間が経過するまでの間、前記圧縮機の再駆動を制限する制限処理部と、前記圧縮機の駆動を伴う動作の運転停止指示を受け付けた場合、前記第１設定時間以下の予め設定された第２設定時間が経過するまでの間、前記圧縮機の駆動を継続させる継続処理部と、を備える。
【発明の効果】
【００１０】
本発明によれば、省電力化と再運転開始の迅速性とをバランス良く実現することが可能な空気調和機及び冷凍装置が提供される。
【図面の簡単な説明】
【００１１】
【図１】図１は、本発明の実施形態に係る空気調和機の概略構成を示すブロック図である。
【図２】図２は、本発明の実施形態に係る空気調和機の冷凍回路を示す図である。
【図３】図３は、本発明の実施形態に係る空気調和機で実行される開始制御処理の一例を示すフローチャートである。
【図４】図４は、本発明の実施形態に係る空気調和機で実行される停止制御処理の一例を示すフローチャートである。
【図５】図５は、本発明の実施形態に係る空気調和機で実行される運転切替処理の一例を示すフローチャートである。
【図６】図６は、本発明の実施形態に係る空気調和機で実行される停止制御処理の一例を示すフローチャートである。
【図７】図７は、本発明の実施形態に係る空気調和機で実行される停止制御処理の一例を示すフローチャートである。
【図８】図８は、本発明の実施形態に係る空気調和機で実行される停止制御処理の一例を示すフローチャートである。
【発明を実施するための形態】
【００１２】
以下、添付図面を参照しながら本発明の実施の形態について説明し、本発明の理解に供する。なお、以下の実施の形態は、本発明を具体化した一例であって、本発明の技術的範囲を限定する性格のものではない。
【００１３】
［第１実施形態］
図１に示されるように、本発明の第１実施形態に係る空気調和機１は、冷凍装置２、無線通信部３、人体検出部４、温度検出部５、清掃装置６、ルーバー駆動部７、リモコン受信部８、及びリモコン９などを備える。冷凍装置２は、冷凍回路１０及び制御部２０を備える。なお、冷凍装置２は、空気調和機１に限らず、例えば除湿器又はヒートポンプ式給湯機などの他の装置に適用可能なヒートポンプサイクルである。
【００１４】
図２に示されるように、冷凍回路１０は、圧縮機１１、四方弁１２、膨張弁１３、第１熱交換器１４、第２熱交換器１５、及びこれらを接続する冷媒配管１６等を含む。具体的に、空気調和機１は、第１熱交換器１４を備える室外機と第２熱交換器１５を備える室内機とを備える分離型の空気調和機である。また、空気調和機１は、第１熱交換器１４及び第２熱交換器１５が同一筐体内に設けられる一体型空気調和機であってもよい。なお、空気調和機１は、商用交流電源などの電源（不図示）に接続され、該電源からの供給電圧によって稼働する。
【００１５】
圧縮機１１は、冷媒を圧縮して冷媒配管１６内に循環させるものであり、制御部２０によって制御される。四方弁１２は、冷凍回路１０における冷媒の循環経路を切り替え可能な電磁弁であり、制御部２０によって制御される。膨張弁１３は、冷媒配管１６内に循環する冷媒を膨張させる。
【００１６】
第１熱交換器１４では、室外空気と冷凍回路１０に循環する冷媒との間で熱交換が行われる。また、空気調和機１の室外機には、室外空気を室外機内の第１熱交換器１４に供給すると共に当該第１熱交換器１４における熱交換後の室外空気を室外機から排出させる第１送風ファン１４ａが設けられている。
【００１７】
第２熱交換器１５では、室内空気と冷凍回路１０に循環する冷媒との間で熱交換が行われる。なお、本実施形態では、室内空気が被熱交換流体に相当する。また、空気調和機１の室内機には、室内空気を室内機内の第２熱交換器１５に供給すると共に当該第２熱交換器１５における熱交換後の室内空気を室内機から排出させる第２送風ファン１５ａが設けられている。第２送風ファン１５ａとしてはクロスフローファン又はプロペラファンなどがある。
【００１８】
そして、空気調和機１では、制御部２０によって冷凍回路１０における冷媒の循環経路が四方弁１２で切り替えられることにより、空気調和動作の種別が暖房運転と冷房運転又は除湿運転とに切り替えられる。
【００１９】
具体的に、空気調和機１では、冷凍回路１０において、図２に示される実線矢印Ｄ１の方向に沿って冷媒が循環することによって暖房運転が実現される。即ち、暖房運転時には、圧縮機１１で圧縮された冷媒が、四方弁１２、第２熱交換器１５、膨張弁１３、第１熱交換器１４、四方弁１２を経て圧縮機１１に戻る経路で循環する。これにより、第２熱交換器１５において高温の冷媒と室内空気との熱交換により室内空気が加熱される。
【００２０】
また、空気調和機１では、図２に示される破線矢印Ｄ２の方向に沿って冷媒が循環することによって冷房運転が実現される。即ち、冷房運転時には、圧縮機１１で圧縮された冷媒が、四方弁１２、第１熱交換器１４、膨張弁１３、第２熱交換器１５、四方弁１２を経て圧縮機１１に戻る経路で循環する。これにより、第２熱交換器１５において低温の冷媒と室内空気との熱交換により室内空気が冷却される。なお、空気調和機１では、空気調和動作として、暖房運転及び冷房運転の他に除湿運転も実行可能である。前記除湿運転は、前記冷房運転と同様に図１に示される破線矢印Ｄ２の方向に沿って冷媒が循環することによって実現される。
【００２１】
制御部２０は、ＣＰＵ、ＲＡＭ、及びＲＯＭ等を含み、空気調和機１を統括的に制御する。前記ＣＰＵは、各種の演算処理を実行するプロセッサーである。前記ＲＯＭは、前記ＣＰＵに後述の開始制御処理（図３等参照）及び停止制御処理（図４等参照）などの各種の処理を実行させるための運転制御プログラムなどの情報が予め記憶される不揮発性の記憶部である。前記ＲＡＭは、前記ＣＰＵによる各種情報の読み書きが可能な揮発性又は不揮発性の記憶部であり、前記ＣＰＵが実行する各種の処理の一時記憶メモリー（作業領域）として使用される。なお、制御部２０には、圧縮機１１の回転数をインバータ制御（周波数制御）によって制御するインバータ制御回路等も含まれる。そして、制御部２０は、暖房運転又は冷房運転などの空気調和動作の実行時に、室内温度及び設定温度などに基づいて圧縮機１１の回転数を制御することにより、冷暖房の強弱を調節可能である。
【００２２】
無線通信部３は、有線又は無線で通信回線（例えば、インターネット）を介して外部の通信端末３０との間で信号を送受信可能な通信インターフェースである。通信端末３０は、スマートフォン、タブレット端末、携帯端末、又はパーソナルコンピュータ等であり、通信端末３０のユーザー操作に応じて空気調和機１に各種の操作信号を送信可能である。例えば、無線通信部３は、空気調和機１の運転開始を指示するための遠隔開始操作信号、又は空気調和機１の運転停止を指示するための遠隔停止操作信号などを通信端末３０から通信回線を介して受信する。
【００２３】
人体検出部４は、赤外線センサ又は超音波センサ等を備え、空気調和機１から特定の検知可能範囲内における人体の有無を検出可能である。温度検出部５は、室内温度を検出する室内温度検出用サーミスタ、及び室外温度を検出する室外温度検出用サーミスタ等を含む。
【００２４】
清掃装置６は、空気調和機１の第２熱交換器１５に供給される空気の吸い込み口に設けられるフィルターを自動で清掃するための自動清掃部であり、制御部２０によって制御される。具体的に、制御部２０は、空気調和機１の運転停止後の予め設定された時間の経過後に清掃装置６による清掃動作を開始させる。
【００２５】
ルーバー駆動部７は、空気調和機１の空気排出口に設けられる可動ルーバーを駆動させ、当該空気排出口から排出される空気の向きを変更するモーター等の駆動源を有する。具体的に、制御部２０は、空気調和機１の空気調和動作の実行中に、前記可動ルーバーの向きを自動的に往復動作させ、又は、リモコン９のユーザー操作に応じて前記可動ルーバーの向きを制御する。
【００２６】
リモコン受信部８は、リモコン９から送信される各種の操作信号を受信し、制御部２０に入力する。リモコン９は、図１に示されるように、表示部９１及び操作部９２〜９５などを備える。そして、リモコン９は、操作部９２〜９５等のユーザー操作に応じて操作信号を赤外線又は近距離無線通信などにより空気調和機１に送信する。
【００２７】
表示部９１には、空気調和機１で現在実行中の空気調和動作の種別（冷房、除湿、暖房）、設定温度、室内温度、又は室内湿度などの各種の情報が表示される。操作部９２は、空気調和機１の運転を停止させるための停止キーである。操作部９３は、空気調和機１を冷房運転で動作させるための冷房運転開始キーである。操作部９４は、空気調和機１を除湿運転で動作させるための除湿運転開始キーである。操作部９５は、空気調和機１を暖房運転で動作させるための暖房運転開始キーである。即ち、操作部９３〜９５は、空気調和機１の空気調和動作の運転を開始するための操作部と空気調和機１における空気調和動作の種別を選択するための操作部とを兼ねている。
【００２８】
なお、リモコン９が、操作部９３〜９５に代えて、空気調和機１の運転を開始させるための運転開始キーと運転切替キーとを備えることも考えられる。この場合、制御部２０は、リモコン９から前記運転切替キーの操作信号を受信するごとに、冷房運転、除湿運転、及び暖房運転などの複数の空気調和動作の種別を順に切り替え可能である。
【００２９】
ところで、空気調和機１では、後述の開始制御処理（図３参照）が実行されることにより、圧縮機１１が停止した後、冷媒の圧力が均一になるまでの時間として予め設定された前記第１設定時間が経過するまでの間は、圧縮機１１の再駆動が制限される。また、空気調和機１では、後述の停止制御処理（図４参照）が実行されることにより、リモコン９等に対する空気調和動作の運転停止の操作時には圧縮機１１を即時に停止させず、予め設定された第２設定時間が経過するまでの間は圧縮機１１の駆動を継続させる。これにより、リモコン９等に対する空気調和動作の運転停止の操作が誤操作である場合に、当該空気調和動作の運転再開をスムーズに行うことが可能である。なお、本実施形態において、圧縮機１１の即時の停止とは、当該圧縮機の通電を停止し圧縮機の駆動を停止すること、あるいは、当該圧縮機１１の回転数が瞬時に０になるのではなく、当該圧縮機１１の回転数が０まで徐々に低下するスローダウン停止処理のような特定の停止処理が即時に開始されることを意味する。一方、圧縮機１１の駆動の継続とは、前記特定の停止処理が開始されないことを意味する。即ち、圧縮機１１の駆動が継続する場合には、当該圧縮機１１の回転数がそのまま維持された状態、又は当該圧縮機１１の回転数が０よりも大きい回転数まで低下した状態で当該圧縮機１１の駆動が継続されることになる。
【００３０】
但し、前記第２設定時間が長く設定されている場合には、リモコン９の誤操作ではなく、ユーザーが意図的に暖房運転を停止させる場合でも、圧縮機１１が無駄に駆動する時間が長くなり、省電力化の観点から好ましくない。これに対し、本実施形態に係る空気調和機１では、以下に説明するように、省電力化と再運転開始の迅速性とをバランス良く実現することが可能である。
【００３１】
具体的に、図１に示されるように、制御部２０は、制限処理部２１、継続処理部２２、駆動処理部２３、清掃処理部２４、及び自動停止処理部２５などを含む。なお、制御部２０は、前記運転制御プログラムに従って前記開始制御処理（図３等参照）及び後述の停止制御処理（図４等参照）などの各種の処理を前記ＣＰＵで実行することにより各種の処理部として機能する。また、制限処理部２１、継続処理部２２、駆動処理部２３、清掃処理部２４、及び自動停止処理部２５の一部又は全部が電子回路で構成されていてもよい。なお、本発明は、制御部２０が前記運転制御プログラムに従って各種の処理手順（ステップ）を実行する運転制御方法の発明として捉えることも可能である。
【００３２】
制限処理部２１は、圧縮機１１の駆動停止から予め設定された第１設定時間が経過するまでの間、圧縮機１１の再駆動を制限する。具体的に、前記第１設定時間は、圧縮機１１の入力側及び出力側の冷媒の圧力が均圧となるまでの所要時間として予め設定された時間である。
【００３３】
継続処理部２２は、圧縮機１１の駆動を伴う空気調和動作の運転停止指示を受け付けた場合、前記第１設定時間以下の予め設定された第２設定時間が経過するまでの間、圧縮機１１の駆動を継続可能である。即ち、前記第２設定時間は、前記第１設定時間と同じ時間又は前記第１設定時間よりも短い時間に設定されている。
【００３４】
駆動処理部２３は、圧縮機１１の駆動を伴う空気調和動作の停止に伴って前記可動ルーバーを閉鎖する閉鎖動作を実行する。前記閉鎖動作は、前記可動ルーバーの閉鎖動作の実行時間として予め設定された閉鎖動作時間（第２設定時間の他の例）が経過するまで実行される。例えば、駆動処理部２３は、前記閉鎖動作において、前記可動ルーバーを駆動するモーターを前記閉鎖動作時間の間だけ駆動させることにより、当該可動ルーバーを閉鎖させる。なお、前記閉鎖動作時間は、前記可動ルーバーが全開状態から閉鎖状態に移行するまでの所要時間に特定の猶予時間を足した時間である。
【００３５】
なお、ルーバー駆動部７が、前記可動ルーバーをステッピングモーターで駆動させる構成が考えられる。この場合、前記可動ルーバーの閉鎖動作では、前記可動ルーバーが全開状態から閉鎖状態に遷移するまでに要するステップ数＋αの閉鎖ステップ数が前記ステッピングモーターに入力されることにより、確実に前記可動ルーバーが閉じられることが考えられる。そのため、前記閉鎖動作時間は、前記ステッピングモーターの駆動が開始してから前記閉鎖ステップ数に応じた駆動が終了するまでの時間として定義される時間であってもよい。また、ここでは、前記閉鎖動作が実行される前記閉鎖動作時間が予め設定される場合について説明するが、前記閉鎖動作時間が設定されていないことも他の実施形態として考えられる。具体的には、駆動処理部２３によってルーバー駆動部７が制御され、前記閉鎖ステップ数が前記ステッピングモーターに入力された時点で前記閉鎖動作が終了することも考えられる。
【００３６】
清掃処理部２４は、少なくとも圧縮機１１の駆動を伴う空気調和動作の運転停止指示を受け付けた後、清掃装置６による清掃動作を開始させる。具体的に、前記清掃動作は、前記運転停止指示を受け付けた場合、清掃装置６による清掃動作が開始されるまでの時間として予め設定された清掃待機時間（第２設定時間の他の例）が経過した場合に実行される。
【００３７】
自動停止処理部２５は、空気調和機１で実行される空気調和動作を予め設定された時間経過後又は予め設定された時刻に自動的に停止させるための運転停止指示を発生させる所謂オフタイマー機能を実現する。
【００３８】
（開始制御処理）
次に、図３を参照しつつ、制御部２０によって実行される開始制御処理の手順の一例について説明する。当該開始制御処理は、空気調和機１において、冷房運転、除湿運転、又は暖房運転などの圧縮機１１の駆動を伴う空気調和動作が実行されていない場合に制御部２０によって実行される。
【００３９】
＜ステップＳ１＞
ステップＳ１において、制御部２０は、空気調和動作の運転開始指示を受け付けたか否かを判断する。そして、制御部２０は、前記運転開始指示を受け付けた場合は（Ｓ１：Ｙｅｓ）、処理をステップＳ２に移行させ、前記運転開始指示が受け付けられるまでの間は（Ｓ１：Ｎｏ）、当該ステップＳ１で前記運転開始指示を待ち受ける。
【００４０】
例えば、制御部２０は、冷房運転、除湿運転、又は暖房運転を開始するための操作部９３〜９５のいずれかの操作に応じてリモコン９から送信される操作信号をリモコン受信部８で受信した場合に前記運転開始指示を受け付けたと判断する。また、制御部２０は、前記遠隔開始操作信号を無線通信部３で受信した場合にも前記運転開始操作が行われたと判断する。なお、空気調和機１の本体に冷房運転、除湿運転、又は暖房運転を開始するための開始キーが設けられている場合、制御部２０は、当該開始キーが操作された場合にも前記運転開始指示を受け付けたと判断する。
【００４１】
＜ステップＳ２＞
ステップＳ２において、制御部２０は、圧縮機１１の停止から予め設定されている第１設定時間が経過しているか否かを判断する。そして、制御部２０は、圧縮機１１の停止から前記第１設定時間が経過していると判断した場合は（Ｓ２：Ｙｅｓ）、処理をステップＳ３に移行させ、圧縮機１１の停止から前記第１設定時間が経過していないと判断した場合は（Ｓ２：Ｎｏ）、当該ステップＳ２で前記第１設定時間の経過を待ち受ける。即ち、制御部２０は、圧縮機１１の停止から前記第１設定時間が経過するまでの間は、圧縮機１１の再駆動を禁止することにより当該圧縮機１１の駆動を制限する。なお、前記ステップＳ２は制御部２０の制限処理部２１によって実行される。
【００４２】
例えば、制御部２０は、圧縮機１１の駆動時に制御部２０のＲＡＭ等の記憶部において再駆動制限フラグをオンに設定し、圧縮機１１の停止から計時を開始して前記第１設定時間が経過した場合に前記再駆動制限フラグをオフに設定する。これにより、制御部２０は、前記再駆動制限フラグを参照することにより、圧縮機１１の停止から前記第１設定時間が経過したか否かを判断可能である。
【００４３】
＜ステップＳ３＞
ステップＳ３において、制御部２０は、前記運転開始指示で要求された冷房運転、除湿運転、又は暖房運転などの空気調和動作の運転を開始するための処理を実行する。例えば、制御部２０は、四方弁１２における冷媒の循環経路を空気調和動作の種別に応じて切り替えた後、圧縮機１１を駆動させて冷凍回路１０における冷媒の循環を開始させる。また、制御部２０は、ルーバー駆動部７を制御して前記可動ルーバーを開放し、送風ファン１４ａ及び送風ファン１５ａを駆動させる。
【００４４】
（停止制御処理）
続いて、図４を参照しつつ、制御部２０によって実行される停止制御処理の手順の一例について説明する。当該停止制御処理は、空気調和機１において、圧縮機１１の駆動を伴う冷房運転、除湿運転、又は暖房運転などの空気調和動作の実行中に制御部２０によって実行される。
【００４５】
＜ステップＳ１１＞
ステップＳ１１において、制御部２０は、冷房運転、除湿運転、又は暖房運転などの空気調和動作の運転停止指示を受け付けたか否かを判断する。そして、制御部２０は、前記運転停止指示を受け付けた場合は（Ｓ１１：Ｙｅｓ）、処理をステップＳ１２に移行させ、前記運転停止指示を受け付けるまでの間は（Ｓ１１：Ｎｏ）、当該ステップＳ１１で前記運転停止指示を待ち受ける。
【００４６】
例えば、制御部２０は、空気調和動作を停止させるための操作部９２のユーザー操作に応じてリモコン９から送信される操作信号をリモコン受信部８で受信した場合に前記運転停止指示を受け付けたと判断する。また、制御部２０は、通信端末３０から送信される前記遠隔停止操作信号を無線通信部３で受信した場合にも前記運転停止操作が行われたと判断する。なお、空気調和機１の本体に冷房運転、除湿運転、又は暖房運転を停止するための停止キーが設けられている場合、制御部２０は、当該停止キーが操作された場合にも前記運転停止指示を受け付けたと判断する。
【００４７】
＜ステップＳ１２＞
ステップＳ１２において、制御部２０は、前記運転停止指示の受け付け時点を起点として経過時間を計測する計時処理を開始する。なお、前記計時処理により計時される前記経過時間は、制御部２０のＲＡＭ等に記憶されて随時更新される。これにより、制御部２０は、後述のステップＳ１６１において、前記運転停止指示を受け付けてから前記第２設定時間が経過したか否かを判断することが可能である。また、制御部２０は、前記計時処理に代えて前記運転停止指示を受け付けた受付時刻を制御部２０のＲＡＭ等に記憶し、前記受付時刻と現在時刻との差分により前記第２設定時間が経過したか否かを判断することも他の実施形態として考えられる。
【００４８】
＜ステップＳ１３＞
ステップＳ１３において、制御部２０は、前記可動ルーバー、送風ファン１４ａ、及び送風ファン１５ａの動作を停止させる。なお、制御部２０の駆動処理部２３は、前記閉鎖動作時間だけ前記可動ルーバーを閉鎖方向に駆動させて前記可動ルーバーを閉鎖した後、当該可動ルーバーの駆動を停止させる。また、前記ステップＳ１３が省略され、前記可動ルーバー、送風ファン１４ａ、送風ファン１５ａ等の動作が、後述のステップＳ１６２で圧縮機１１と共に停止することも考えられる。さらに、前記可動ルーバー、送風ファン１４ａ、及び送風ファン１５ａのいずれか一つ又は複数の動作がステップＳ１３で停止し、残りの動作がステップＳ１６２で停止してもよい。
【００４９】
＜ステップＳ１４＞
ステップＳ１４において、制御部２０は、圧縮機１１の回転数を現在の回転数から予め設定された特定回転数だけ低下させて圧縮機１１の駆動を継続させる。ここで、制御部２０は、圧縮機１１の回転数を予め設定された下限回転数を下限として低下させ、圧縮機１１の回転数が前記下限回転数に達した後は当該ステップＳ１４における回転数低下の処理は実行されない。なお、前記特定回転数は、ステップＳ１４の実行時における圧縮機１１の回転数によって異なる値であってもよい。
【００５０】
このように、制御部２０は、前記運転停止指示を受け付けた場合、即時に圧縮機１１を停止させずに圧縮機１１の駆動を継続させる。なお、このように圧縮機１１の駆動を継続させる処理は制御部２０の継続処理部２２によって実行される。また、制御部２０は、前記ステップＳ１４の処理を省略して圧縮機１１の回転数を低下させずに駆動を継続させることも他の実施形態として考えられる。
【００５１】
＜ステップＳ１５＞
ステップＳ１５において、制御部２０は、ステップＳ１４で圧縮機１１の回転数を低下させてから予め設定された第３設定時間が経過したか否かを判断する。例えば、前記第３設定時間は、圧縮機１１の回転数を安定して低下させるための間隔として予め設定された値である。そして、制御部２０は、前記第３設定時間が経過したと判断すると（Ｓ１５：Ｙｅｓ）、処理をステップＳ１４に移行させ、前記第３設定時間が経過していないと判断すると（Ｓ１５：Ｎｏ）、処理をステップＳ１６に移行させる。即ち、制御部２０の継続処理部２２は、前記運転停止指示の受け付け後から前記第２設定時間が経過するまでの間は、圧縮機１１の回転を前記第３設定時間の間隔で段階的に前記下限回転数まで低下させる。例えば、前記第３設定時間及び前記特定回転数は、前記運転停止指示の受け付けから前記第２設定時間の経過までの間に、圧縮機１１の回転数が前記下限回転数に達する値に予め設定される。なお、前記ステップＳ１４が繰り返し実行されず、一度の前記ステップＳ１４において、圧縮機１１の回転数が予め設定された低速回転数まで低下することも他の実施形態として考えられる。また、前記第３設定時間は、圧縮機１１の回転数を安定して低下させるための間隔であり、かつ、前記第２設定時間以下であるとより好ましい。
【００５２】
＜ステップＳ１６＞
ステップＳ１６において、制御部２０は、前記ステップＳ１１で前記運転停止指示が受け付けられたときに実行されていた特定の空気調和動作についての前記運転開始指示を受け付けたか否かを判断する。即ち、前記ステップＳ１１で受け付けられた前記運転停止指示が誤操作に起因する指示であるか否かが判断される。そして、制御部２０は、前記運転開始指示を受け付けた場合は（Ｓ１６：Ｙｅｓ）、処理をステップＳ１７に移行させ、前記運転開始指示が受け付けられていない場合は（Ｓ１６：Ｎｏ）、処理をステップＳ１６１に移行させる。なお、制御部２０は、前記特定の空気調和動作についての前記運転開始指示を受け付ける前に、当該特定の空気調和動作とは異なる他の空気調和動作についての運転開始指示を受け付けた場合、圧縮機１１を停止させて当該停止制御処理を終了することが考えられる。
【００５３】
＜ステップＳ１７＞
ステップＳ１７において、制御部２０は、前記特定の空気調和動作を再開するための処理を実行する。具体的に、制御部２０は、圧縮機１１の駆動を継続させ、当該圧縮機１１の回転数を前記運転停止指示が受け付けられたときの状態に復帰させて前記特定の空気調和動作を再開させる。また、制御部２０は、ルーバー駆動部７を制御して前記可動ルーバーを開放し、送風ファン１４ａ及び送風ファン１５ａを駆動させる。
【００５４】
＜ステップＳ１６１＞
ステップＳ１６１において、制御部２０は、前記運転停止指示を受け付けてから予め設定された前記第２設定時間が経過したか否かを判断する。なお、前記第２設定時間は、前述したように前記第１設定時間以下の時間である。そして、制御部２０は、前記第２設定時間が経過したと判断すると（Ｓ１６１：Ｙｅｓ）、処理をステップＳ１６２に移行させ、前記第２設定時間が経過していなければ（Ｓ１６１：Ｎｏ）、処理をステップＳ１５に戻す。
【００５５】
＜ステップＳ１６２＞
ステップＳ１６２において、制御部２０は、圧縮機１１を停止させる。即ち、制御部２０は、前記運転停止指示を受け付けた場合であっても、即時に圧縮機１１を停止させずに、圧縮機１１の駆動を継続させ、前記第２設定時間が経過するまで前記空気調和動作の運転開始指示を受け付けなかった場合に圧縮機１１を停止させる。なお、制御部２０は、圧縮機１１の停止時にも当該圧縮機１１の回転数の低下処理（Ｓ１４）と同様に段階的に回転数を低下させて停止させることが考えられる。但し、この場合でも、圧縮機１１の回転数は既に前記下限回転数まで低下しているため、当該圧縮機１１の停止は迅速に行うことが可能である。
【００５６】
なお、制御部２０の清掃処理部２４は、当該ステップＳ１６２において圧縮機１１が停止した後、前記清掃待機時間が経過してから清掃装置６による前記フィルターの清掃動作を開始させることになる。一方、清掃処理部２４は、前記ステップＳ１６２で圧縮機１１が停止した場合には、既に前記可動ルーバー、送風ファン１４ａ、送風ファン１５ａなどが停止しており、且つ前記第２設定時間も経過している。そのため、清掃処理部２４は、当該ステップＳ１６２における圧縮機１１の停止と共に清掃装置６による清掃動作を開始させてもよい。
【００５７】
以上説明したように、空気調和機１では、前記停止制御処理が実行されることにより、前記運転停止指示の受け付け後、前記第２設定時間の経過前に前記運転開始指示が受け付けられた場合は、前記特定の空気調和動作を迅速に再開することが可能である。また、前記第２設定時間は、圧縮機１１の停止後に再起動が制限される前記第１設定時間以下の時間である。したがって、空気調和機１では、例えば空気調和動作の誤った停止操作後の動作について、省電力化と再運転開始の迅速性とをバランス良く実現することが可能である。
【００５８】
なお、本実施形態では、前記第２設定時間が、圧縮機１１の停止後の再駆動が制限される前記第１設定時間以下の時間に設定されている場合を例に挙げて説明した。一方、他の実施形態として、前記第２設定時間が、前記可動ルーバーを閉鎖する閉鎖動作が実行される前記閉鎖動作時間と同じ時間又は前記閉鎖動作時間よりも短い時間に設定されていてもよい。また、前述したように、前記閉鎖動作時間が設定されておらず、前記ステッピングモーターへの前記閉鎖ステップ数の入力が終了した場合に前記閉鎖動作が終了する構成も他の実施形態として考えられる。この場合、制御部２０は、前記空気調和動作の運転停止指示を受け付けた場合、前記ステッピングモーターへの前記閉鎖ステップ数の入力が終了して前記閉鎖動作が完了するまでの間、圧縮機１１の駆動を継続可能であることも考えられる。
【００５９】
また、他の実施形態として、前記第２設定時間が、前記運転停止指示の受け付け時から清掃装置６による清掃動作が開始されるまでの間の前記清掃待機時間と同じ時間又は前記清掃待機時間よりも短い時間に設定されていてもよい。これらの構成であっても、省電力化と再運転開始の迅速性とをバランス良く実現することが可能である。
【００６０】
さらに、他の実施形態として、前記第２設定時間が、例えば前記第１設定時間より短く前記閉鎖動作時間よりも長い時間に設定されること、又は、前記第１設定時間より短く前記清掃待機時間よりも長い時間に設定されることも考えられる。
【００６１】
［他の実施形態］
以下、本発明の他の実施形態について説明する。また、下記の他の実施形態において、前記第１の実施形態で説明した空気調和機１と同様の構成及び処理機能については説明を省略する。なお、前記第１の実施形態及び下記の他の実施形態の各構成及び各処理機能を取捨選択して任意に組み合わせることも可能である。
【００６２】
［第２実施形態］
ところで、空気調和機１では、操作部９３〜９５のうち現在実行されている特定の空気調和動作とは異なる他の空気調和動作に対応する操作部が操作された場合、即ち空気調和動作の種別の切替操作が行われた場合にも圧縮機１１が一度停止することになる。具体的に、暖房運転と冷媒運転とが切り替えられる場合には、四方弁１２における冷媒の循環経路を切り替える必要があるため、圧縮機１１を一度停止させる必要がある。即ち、冷房運転又は除湿運転と暖房運転との間の運転切替指示のように圧縮機１１の停止を要する動作の指示も、前記空気調和動作の運転停止指示の一例である。そして、リモコン９の誤操作等で空気調和動作の種別が切り替えられた場合にも、圧縮機１１の再起動が前記第１設定時間の間だけ制限されるため、元の空気調和動作の再実行に時間を要することになる。
【００６３】
［運転切替処理］
ここで、図５を参照しつつ、空気調和機１において、現在実行中の空気調和動作の種別が切り替えられる際に制御部２０によって実行される運転切替処理の一例について説明する。なお、当該運転切替処理について、前記停止制御処理と同様の処理については同じ符号を付してその説明を省略する。具体的に、当該運転切替処理では、前記停止制御処理におけるステップＳ１１、Ｓ１６、Ｓ１６２に代えて、ステップＳ２１、Ｓ２２、Ｓ２３がそれぞれ実行される。
【００６４】
＜ステップＳ２１＞
ステップＳ２１において、制御部２０は、冷房運転、除湿運転、又は暖房運転などの空気調和動作の運転切替指示を受け付けたか否かを判断する。即ち、ステップＳ２１では、前記運転切替指示のような圧縮機１１の停止を伴う指示が行われたか否かが判断される。そして、制御部２０は、前記運転切替指示を受け付けた場合は（Ｓ２１：Ｙｅｓ）、処理をステップＳ１２に移行させ、前記運転切替指示を受け付けるまでの間は（Ｓ２１：Ｎｏ）、当該ステップＳ２１で前記運転切替指示を待ち受ける。
【００６５】
＜ステップＳ２２＞
ステップＳ２２において、制御部２０は、前記運転切替指示が受け付けられたときに実行されていた特定の空気調和動作への運転切替指示を受け付けたか否かを判断する。即ち、前記ステップＳ２１で受け付けられた前記運転切替指示が誤操作に起因する指示であるか否かが判断される。そして、制御部２０は、前記運転切替指示が受け付けられたときに実行されていた特定の空気調和動作への運転切替指示を受け付けた場合は（Ｓ２２：Ｙｅｓ）、処理をステップＳ１７に移行させ、前記運転切替指示が受け付けられたときに実行されていた特定の空気調和動作への運転切替指示を受け付けられていない場合は（Ｓ２２：Ｎｏ）、処理をステップＳ１６１に移行させる。
【００６６】
例えば、空気調和機１で冷房運転が実行されている状態で、ステップＳ２１で操作部９５の操作による暖房運転切替指示が受け付けられたと判断された場合、ステップＳ２２では、操作部９３の操作により冷房運転切替指示が受け付けられたか否かが判断される。同様に、空気調和機１で暖房運転が実行されている状態で、ステップＳ２１で操作部９３の操作による冷房運転切替指示が受け付けられたと判断された場合、ステップＳ２２では、操作部９５の操作により暖房運転切替指示が受け付けられたか否かが判断される。なお、冷房運転及び除湿運転について、冷凍回路１０における冷媒の循環方向は同じであるため、冷房運転及び除湿運転は同一の運転モードとして処理されてもよい。即ち、空気調和機１で冷房運転が実行されている状態で、ステップＳ２１で操作部９５の操作による暖房運転切替指示が受け付けられたと判断された場合、ステップＳ２２では、操作部９３の操作により冷房運転切替指示又は操作部９４の操作により除湿運転切替指示が受け付けられたか否かが判断されてもよい。
【００６７】
＜ステップＳ２３＞
ステップＳ２３において、制御部２０は、現在実行中の前記特定の空気調和動作を前記切替操作に対応する他の空気調和動作に切り替えるための切替処理を実行する。具体的に、冷房運転又は除湿運転と暖房運転との間の切替操作が行われた場合、制御部２０は、圧縮機１１を停止させた後、前記第１設定時間が経過するまで圧縮機１１の駆動を制限する。その後、前記第１設定時間が経過すると、四方弁１２における冷媒の循環経路を切り替えて圧縮機１１を再駆動させる。なお、ステップＳ２３における前記切替処理の実行中に空気調和動作の切替操作が行われた場合には、当該運転切替処理が終了し、前記開始制御処理（図３参照）のステップＳ１で空気調和動作の運転開始指示が行われたと判断されてステップＳ２以降の処理が実行される。
【００６８】
以上説明したように、本実施形態に係る空気調和機１では、前記運転切替処理が実行されることにより、運転切替指示の受け付け後、前記第２設定時間の経過前に元の空気調和動作への運転切替指示が受け付けられた場合は、前記空気調和動作を迅速に再開することが可能である。また、前記第２設定時間は、圧縮機１１の停止後に再起動が制限される前記第１設定時間以下の時間である。したがって、空気調和機１では、例えば空気調和動作の誤った停止操作後の動作について、省電力化と再運転開始の迅速性とをバランス良く実現することが可能である。
【００６９】
［第３実施形態］
空気調和機１では、通信端末３０から前記遠隔停止操作信号を受信した場合にも前記空気調和動作が停止する。一方、ユーザーが通信端末３０で前記遠隔停止操作信号を送信するための運転停止操作を行う場合には、ユーザーが空気調和機１から離れた位置で操作していることが考えられ、リモコン９の誤操作である可能性が低いと考えられる。そこで、制御部２０の継続処理部２２が、通信回線を介して通信端末３０から前記運転停止指示を受け付けた場合は、圧縮機１１の運転を継続させずに停止させることが考えられる。ここに、図６は、前記停止制御処理の他の例を示すフローチャートである。なお、当該停止制御処理について、図４に示される停止制御処理と同様の処理については同じ符号を付してその説明を省略する。
【００７０】
具体的に、図６に示されるように、本実施形態に係る停止制御処理では、ステップＳ１３とステップＳ１４との間にステップＳ３１が実行される。ステップＳ３１において、制御部２０は、前記ステップＳ１１で通信端末３０からの前記遠隔停止操作信号の受信により前記運転停止指示を受け付けたか否かを判断する。そして、制御部２０は、通信端末３０から運転停止指示を受け付けていないと判断した場合（Ｓ３１：Ｎｏ）、処理をステップＳ１４に移行させる。一方、制御部２０は、通信端末３０から運転停止指示を受け付けたと判断した場合（Ｓ３１：Ｙｅｓ）、処理をステップＳ１６２に移行させ、圧縮機１１の駆動を継続させずに停止させる。
【００７１】
以上説明したように、本実施形態係る空気調和機１において、制御部２０の継続処理部２２は、通信回線を介して通信端末３０から前記運転停止指示を受け付けた場合は、圧縮機１１の駆動を継続させずに停止させることになる。これにより、ユーザーが空気調和機１から離れた位置で空気調和機１の動作を停止させる運転停止操作を行っており、その運転停止操作がリモコン９の誤操作でない可能性が高い場合には、迅速に圧縮機１１が停止するため省電力化が優先して実現される。
【００７２】
［第４実施形態］
また、例えばリモコン９の紛失等により空気調和機１の近くから通信端末３０で運転停止操作を行うことにより、通信端末３０からの遠隔停止操作信号が無線通信部３で受信されることも考えられる。そのため、継続処理部２２は、空気調和機１に通信回線を介して通信端末３０から前記運転停止指示を受け付けた場合であって、人体検出部４により人体が検出されていない場合は圧縮機１１を即時に停止させ、人体検出部４により人体が検出されている場合は圧縮機１１の駆動を継続させることが考えられる。なお、本実施形態において、圧縮機１１を即時に停止させる場合でも、圧縮機１１の回転数の急激な変動を抑制するため、当該圧縮機１１の回転数が徐々に低下して停止するスローダウン処理が実行されることが考えられる。即ち、本実施形態において、圧縮機１１の即時停止は、当該圧縮機の通電を停止し圧縮機の駆動を停止すること、あるいは、前記スローダウン処理の実行開始を含む概念である。ここに、図７は、前記停止制御処理の他の例を示すフローチャートである。なお、当該停止制御処理について、図６に示される停止制御処理と同様の処理については同じ符号を付してその説明を省略する。
【００７３】
具体的に、図７に示されるように、前記ステップＳ３１において、制御部２０は、通信端末３０から運転停止指示を受け付けたと判断した場合に（Ｓ３１：Ｙｅｓ）、処理をステップＳ３２に移行させる。そして、ステップＳ３２において、制御部２０は、人体検出部４により人体が検出されているか否かを判断する。ここで、制御部２０は、人体検出部４により人体が検出されていると判断すると（Ｓ３２：Ｙｅｓ）、処理をステップＳ１４に移行させ、人体検出部４により人体が検出されていないと判断すると（Ｓ３２：Ｎｏ）、処理をステップＳ１６２に移行させる。なお、人体検出部４による人体の検出の有無の判断は、運転停止指示を受け付けた時点に対して予め設定された時間的に幅のある範囲内における人体検出部４による検出結果に基づいて行われてもよい。
【００７４】
また、図７に示されるように、制御部２０は、ステップＳ１６１の前段でステップＳ３３を実行する。ステップＳ３３においても、制御部２０は、人体検出部４により人体が検出されているか否かを判断する。ここで、制御部２０は、人体検出部４により人体が検出されていると判断すると（Ｓ３３：Ｙｅｓ）、処理をステップＳ１６１に移行させ、人体検出部４により人体が検出されていないと判断すると（Ｓ３３：Ｎｏ）、処理をステップＳ１６２に移行させる。即ち、制御部２０の継続処理部２２は、圧縮機１１の駆動の継続中に、人体検出部４により人体が検出されなくなった場合に、圧縮機１１の駆動の継続を中止して圧縮機１１を停止させる。
【００７５】
以上説明したように、本実施形態係る空気調和機１において、制御部２０の継続処理部２２は、通信回線を介して通信端末３０から前記運転停止指示を受け付けた場合であっても、人体検出部４により人体が検出されている場合は、圧縮機１１の駆動が継続する。また、制御部２０の継続処理部２２は、通信回線を介して通信端末３０から前記運転停止指示を受け付けた場合であって、人体検出部４により人体が検出されていない場合は、圧縮機１１の駆動を継続させずに停止させる。
【００７６】
これにより、ユーザーが空気調和機１から離れた位置で空気調和機１の動作を停止させる運転停止操作を行っている場合には、迅速に圧縮機１１を停止するため省電力化が優先して実現される。一方、空気調和機１に近い位置で空気調和機１の動作を停止させる運転停止操作を行っている場合には、圧縮機１１の駆動を継続させることで、誤操作時に再運転開始の迅速性が優先して実現される。
【００７７】
なお、本実施形態に係る停止制御処理（図７参照）において、前記ステップＳ３１が省略され、前記ステップＳ１３の実行後に前記ステップＳ３２が実行されることが考えられる。この場合も、制御部２０は、人体検出部４により人体が検出されていると判断すると（Ｓ３２：Ｙｅｓ）、処理をステップＳ１４に移行させ、人体検出部４により人体が検出されていないと判断すると（Ｓ３２：Ｎｏ）、処理をステップＳ１６２に移行させる。このように、制御部２０は、運転停止指示が遠隔停止操作信号の受信でない場合にも、人体検出部４の検出結果に応じて圧縮機１１の運転の継続の有無を切り替えることが考えられる。
【００７８】
［第５実施形態］
空気調和機１では、制御部２０の自動停止処理部２５が、前記自動停止機能により予めユーザーにより設定された時間経過後又は予めユーザーにより設定された時刻に自動的に空気調和機１の空気調和動作を停止させること（所謂オフタイマー）がある。一方、ユーザーが前記自動停止機能を用いて空気調和機１の運転を停止させる際には、リモコン９の誤操作である可能性が低いと考えられる。そこで、制御部２０の継続処理部２２が、前記自動停止機能により前記運転停止指示を受け付けた場合は、圧縮機１１の運転を継続させずに即時に停止させることが考えられる。なお、本実施形態において、圧縮機１１を即時に停止させる場合でも、圧縮機１１の回転数の急激な変動を抑制するため、当該圧縮機１１の回転数が徐々に低下して停止するスローダウン処理が実行されることが考えられる。即ち、本実施形態において、圧縮機１１の即時停止は、当該圧縮機の通電を停止し圧縮機の駆動を停止すること、あるいは、前記スローダウン処理の実行開始を含む概念である。ここに、図８は、前記停止制御処理の他の例を示すフローチャートである。なお、当該停止制御処理について、図４に示される停止制御処理と同様の処理については同じ符号を付してその説明を省略する。
【００７９】
具体的に、図８に示されるように、本実施形態に係る停止制御処理では、ステップＳ１３とステップＳ１４との間でステップＳ４１が実行される。ステップＳ４１において、制御部２０は、前記ステップＳ１１で受け付けた前記運転停止指示が、前記自動停止機能により発生したものであるか否かを判断する。そして、制御部２０は、前記運転停止指示が前記自動停止機能により発生したものではないと判断した場合は（Ｓ４１：Ｎｏ）、処理をステップＳ１４に移行させる。一方、前記運転停止指示が前記自動停止機能により発生したものであると判断した場合（Ｓ４１：Ｙｅｓ）、制御部２０は、処理をステップＳ１６２に移行させ、圧縮機１１の駆動を継続させずに停止させる。
【００８０】
以上説明したように、本実施形態係る空気調和機１において、制御部２０の継続処理部２２は、前記自動停止機能により発生する前記運転停止指示を受け付けた場合、圧縮機１１の駆動が継続せずに停止する。これにより、ユーザーが空気調和機１を予め設定された時間経過後又は予め設定された時刻に自動的に停止させる意図があり、その運転停止操作がリモコン９の誤操作でない可能性が高い場合には、迅速に圧縮機１１を停止するため省電力化を優先して実現することが可能である。
【００８１】
［第６実施形態］
また、前記第１実施形態では、冷凍装置２を備える空気調和機１について説明したが、本発明は、例えば冷凍装置２を備え、空気調和機１の除湿運転と同様の空気調和動作を行うことが可能な除湿器にも適用可能である。即ち、前記除湿器も本発明に係る空気調和機の一例である。具体的に、前記除湿器では、四方弁１２が省略され、冷凍装置２の第１熱交換器１４についても第２熱交換器１５と同様に室内空気と冷媒との間で熱交換が行われる。
【００８２】
そして、冷凍装置２の制御部２０は、前記除湿運転について、前記開始制御処理（図３等参照）及び前記停止制御処理（図４等参照）を実行する。これにより、前記除湿器においても、前記除湿運転の誤った停止操作後の動作について、省電力化と再運転開始の迅速性とをバランス良く実現することが可能である。
【００８３】
［第７実施形態］
また、前記第１実施形態では、冷凍装置２を備える空気調和機１について説明したが、本発明は、例えば冷凍装置２を備えるヒートポンプ式給湯機にも適用可能である。具体的に、前記ヒートポンプ式給湯機では、冷凍回路１０の第２熱交換器１５が、冷媒と水との間で熱交換を行うものであり、送風ファン１５ａは省略される。そして、前記ヒートポンプ式給湯機では、圧縮機１１の駆動を伴う給湯動作が実行されることにより、第２熱交換器１５で加熱された温水が供給可能である。
【００８４】
この場合、前記ヒートポンプ式給湯機において、冷凍装置２の制御部２０は、前記給湯動作について、前記開始制御処理（図３等参照）及び前記停止制御処理（図４等参照）を実行する。なお、前記開始制御処理（図３等参照）及び前記停止制御処理（図４等参照）については、前記空気調和動作を前記給湯動作と読み替えればよい。これにより、前記ヒートポンプ式給湯機においても、前記給湯動作の誤った停止操作後の動作について、省電力化と再運転開始の迅速性とをバランス良く実現することが可能である。
【００８５】
［発明の付記］
以下、上述の各実施形態から抽出される発明の概要について付記する。なお、各付記と各実施形態との対応関係の理解に供するために便宜上符号を付して説明することがあるが、当該付記に係る発明はその符号を付した具体的構成に限定されるものではない。また、以下で説明する各構成及び各処理機能を取捨選択して任意に組み合わせることも可能である。
【００８６】
＜付記１＞
冷媒を圧縮する圧縮機と、
前記冷媒と空気との間で熱交換を行う熱交換器と、
前記圧縮機の駆動停止から予め設定された第１設定時間が経過するまでの間、前記圧縮機の再駆動を制限する制限処理部と、
前記圧縮機の駆動を伴う空気調和動作の運転停止指示を受け付けた場合、前記第１設定時間以下の予め設定された第２設定時間が経過するまでの間、前記圧縮機の駆動を継続可能な継続処理部と、
を備える空気調和機。
【００８７】
＜付記２＞
冷媒を圧縮する圧縮機と、
前記冷媒と空気との間で熱交換を行う熱交換器と、
前記熱交換器における熱交換後の空気が排出される排出口に設けられる可動ルーバーを駆動するルーバー駆動部と、
前記圧縮機の駆動を伴う空気調和動作の停止に伴って前記可動ルーバーを閉鎖する閉鎖動作を実行する駆動処理部と、
前記圧縮機の駆動停止から予め設定された第１設定時間が経過するまでの間、前記圧縮機の再駆動を制限する制限処理部と、
前記空気調和動作の運転停止指示を受け付けた場合、前記閉鎖動作が実行される閉鎖動作時間以下の予め設定された第２設定時間が経過するまでの間、又は、前記閉鎖動作が完了するまでの間、前記圧縮機の駆動を継続可能な継続処理部と、
を備える空気調和機。
【００８８】
＜付記３＞
冷媒を圧縮する圧縮機と、
前記冷媒と空気との間で熱交換を行う熱交換器と、
前記熱交換器における熱交換対象の空気の吸い込み口に設けられるフィルターを清掃する清掃装置と、
前記圧縮機の駆動を伴う空気調和動作の運転停止指示を受け付けた後、前記清掃装置による清掃動作を開始させる清掃処理部と、
前記圧縮機の駆動停止から予め設定された第１設定時間が経過するまでの間、前記圧縮機の再駆動を制限する制限処理部と、
前記空気調和動作の運転停止指示を受け付けた場合、前記清掃装置による清掃動作が開始されるまでの清掃待機時間以下の予め設定された第２設定時間が経過するまでの間、前記圧縮機の駆動を継続可能な継続処理部と、
を備える空気調和機。
【００８９】
＜付記４＞
前記継続処理部は、前記運転停止指示を受け付けた後、前記第２設定時間が経過するまでの間は、前記圧縮機の回転数を予め設定された低速回転数まで低下させ、又は前記圧縮機の回転数を段階的に低下させる、
付記１〜３のいずれかに記載の空気調和機。
【００９０】
＜付記５＞
前記継続処理部は、前記第２設定時間が経過するまでに前記空気調和動作の運転開始指示を受け付けなかった場合に、前記圧縮機を停止させる、
付記１〜４のいずれかに記載の空気調和機。
【００９１】
＜付記６＞
前記継続処理部は、前記第２設定時間が経過するまでに前記空気調和動作の運転開始指示を受け付けた場合に、前記圧縮機の駆動を継続させて前記空気調和動作を再開する、
付記１〜５のいずれかに記載の空気調和機。
【００９２】
＜付記７＞
前記空気調和動作は、冷房運転、暖房運転、又は除湿運転である、
付記１〜６のいずれかに記載の空気調和機。
【００９３】
＜付記８＞
前記空気調和動作の運転停止指示は、冷房運転又は除湿運転と暖房運転との間の切替操作を含む、
付記１〜７のいずれかに記載の空気調和機。
【００９４】
＜付記９＞
前記熱交換器による熱交換後の空気を送風する送風ファンと、
前記送風ファンにより送風される空気の排出方向を調整可能な可動ルーバーを駆動させるルーバー駆動部と、
を備え、
前記継続処理部は、前記運転停止指示を受け付けた場合、前記送風ファン及び前記ルーバー駆動部の一方又は両方を停止させ、前記圧縮機の駆動を継続可能である、
付記１〜８のいずれかに記載の空気調和機。
【００９５】
＜付記１０＞
前記空気調和機は、前記空気調和機から特定の検知可能範囲内の人体の有無を検出する人体検出部を備え、
前記継続処理部は、前記運転停止指示を受け付けた場合、前記人体検出部により人体が検出されていない場合は前記圧縮機を停止させ、前記人体検出部により人体が検出されている場合は前記圧縮機の駆動を前記第２設定時間だけ継続させる、
付記１〜９のいずれかに記載の空気調和機。
【００９６】
＜付記１１＞
前記継続処理部は、前記圧縮機の駆動の継続中に、前記人体検出部により人体が検出されなくなった場合に、前記圧縮機を停止させる、
付記１０に記載の空気調和機。
【００９７】
＜付記１２＞
前記継続処理部は、前記空気調和機に通信回線を介して前記運転停止指示及び運転開始指示を送信可能な通信端末から前記運転停止指示を受け付けた場合は、前記圧縮機を停止させる、
付記１〜１１のいずれかに記載の空気調和機。
【００９８】
＜付記１３＞
前記継続処理部は、前記空気調和機に通信回線を介して前記運転停止指示を送信可能な通信端末から前記運転停止指示を受け付けた場合であって、前記人体検出部により人体が検出されていない場合は前記圧縮機を停止させ、前記人体検出部により人体が検出されている場合は前記圧縮機の駆動を継続させる、
付記１０又は１１に記載の空気調和機。
【００９９】
＜付記１４＞
前記空気調和動作を予め設定された時間経過後又は予め設定された時刻に自動的に前記運転停止指示を発生させる自動停止処理部を備え、
前記継続処理部は、前記自動停止処理部からの前記運転停止指示を受け付けた場合は前記圧縮機の駆動を継続させずに停止させる、
付記１〜１３のいずれかに記載の空気調和機。
【０１００】
＜付記１５＞
冷媒を圧縮する圧縮機と、
前記冷媒と被熱交換流体との間で熱交換を行う熱交換器と、
前記圧縮機の駆動停止から予め設定された第１設定時間が経過するまでの間、前記圧縮機の再駆動を制限する制限処理部と、
前記圧縮機の駆動を伴う動作の運転停止指示を受け付けた場合、前記第１設定時間以下の予め設定された第２設定時間が経過するまでの間、前記圧縮機の駆動を継続させる継続処理部と、
を備える冷凍装置。
【０１０１】
＜付記１６＞
冷媒を圧縮する圧縮機と、前記冷媒と空気との間で熱交換を行う熱交換器と、を備える空気調和機で実行される運転制御方法であって、前記圧縮機の駆動停止から予め設定された第１設定時間が経過するまでの間、前記圧縮機の再駆動を制限するステップと、前記圧縮機の駆動を伴う空気調和動作の運転停止指示を受け付けた場合、前記第１設定時間以下の予め設定された第２設定時間が経過するまでの間、前記圧縮機の駆動を継続するステップとを含む運転制御方法。
【０１０２】
＜付記１７＞
冷媒を圧縮する圧縮機と、前記冷媒と空気との間で熱交換を行う熱交換器と、記熱交換器における熱交換後の空気が排出される排出口に設けられる可動ルーバーを駆動するルーバー駆動部と、を備える空気調和機で実行される運転制御方法であって、前記圧縮機の駆動を伴う空気調和動作の停止に伴って前記可動ルーバーを閉鎖する閉鎖動作を実行するステップと、前記圧縮機の駆動停止から予め設定された第１設定時間が経過するまでの間、前記圧縮機の再駆動を制限する制限ステップと、前記空気調和動作の運転停止指示を受け付けた場合、前記閉鎖動作が実行される閉鎖動作時間以下の予め設定された第２設定時間が経過するまでの間、又は、前記閉鎖動作が完了するまでの間、前記圧縮機の駆動を継続するステップと、を含む運転制御方法。
【０１０３】
＜付記１８＞
冷媒を圧縮する圧縮機と、前記冷媒と空気との間で熱交換を行う熱交換器と、前記熱交換器における熱交換対象の空気の吸い込み口に設けられるフィルターを清掃する清掃装置と、を備える空気調和機で実行される運転制御方法であって、前記圧縮機の駆動を伴う空気調和動作の運転停止指示を受け付けた後、前記清掃装置による清掃動作を開始させるステップと、前記圧縮機の駆動停止から予め設定された第１設定時間が経過するまでの間、前記圧縮機の再駆動を制限するステップと、前記空気調和動作の運転停止指示を受け付けた場合、前記清掃装置による清掃動作が開始されるまでの清掃待機時間以下の予め設定された第２設定時間が経過するまでの間、前記圧縮機の駆動を継続するステップと、を含む運転制御方法。
【符号の説明】
【０１０４】
１      空気調和機
２      冷凍装置
３      無線通信部
４      人体検出部
５      温度検出部
６      清掃装置
７      ルーバー駆動部
８      リモコン受信部
９      リモコン
１０    冷凍回路
２０    制御部
２１    制限処理部
２２    継続処理部
２３    駆動処理部
２４    清掃処理部
２５    自動停止処理部
３０    通信端末
【図１】
2019095138.tif 000003
【図２】
2019095138.tif 000004
【図３】
2019095138.tif 000005
【図４】
2019095138.tif 000006
【図５】
2019095138.tif 000007
【図６】
2019095138.tif 000008
【図７】
2019095138.tif 000009
【図８】
2019095138.tif 000010